(57)【要約】【課題】  本発明は、照明効率をほとんど低下させることなく、好ましい光線を被写体に照射し、且つ、リング状の配光を生じない照明装置を提供することを目的とする。【解決手段】  本発明によれば、光学部材入射面のシボ部を設けない中心部分では、光源からの光線を効率よく入射し、また、光学部材入射面のシボ部を白色ＬＥＤモジュールの発光領域の端部と概略等しくすることで、白色ＬＥＤモジュールの発光領域の端部から発散する光線を拡散させ入射させ、色味を改善し且つリング状の配光を改善する事が可能となる。【選択図】  図２
2005332757.tif 000002
【特許請求の範囲】
【請求項１】
光源と、前記光源からの光を入射する入射面と、導光部と、前記光を集光し被写体へ照射するための射出面を有する光学部材を備えた照明装置において、
前記光学部材の入射面は、前記光源中心近傍から出る光束を入射する部分を除く一部の表面領域が、凹凸形状に形成されたことを特徴とする照明装置。
【請求項２】
前記入射面の一部の表面領域とは、リング状であることを特徴とする請求項１に記載の照明装置。
【請求項３】
前記光学部材の導光部は、全反射機能を有していることを特徴とする請求項１又は２に記載の照明装置。
【発明の詳細な説明】
【技術分野】
【０００１】
本発明は照明装置、更に詳しくはビデオカメラ等の撮像装置による撮影時に照明光を被写体側に照射するようにした照明装置に関するものである。
【背景技術】
【０００２】
ビデオカメラを用いた夜間撮影の際に、照明光を被写体に照射する照明装置が使用されている。
【０００３】
このような照明装置をビデオカメラ本体に設けて、撮影動作に連動させて照明光を被写体側に照射し、撮影を行うようにしている。
【０００４】
図７は、従来の照明装置の光源からの光線経路を示す模式図である。図７に示す照明装置は、例えば白色ＬＥＤモジュールなどの光源からの光線を、レンズによって集光し、被写体に照射するようにしたものである。７０１は、白色ＬＥＤモジュールなどの光源を示しており、７０２は光線を集光するレンズを示している。照明装置により、ビデオカメラの画角と概略等しい範囲を照射するため、レンズ７０２は、最終面から光源７０１まである程度の距離を離して設置される。
【０００５】
しかし、この構成では図７の光線αに示すように、光源とレンズの隙間から光線が漏れるため、光源からの発散光の全てを前方へ照射することが出来ない。そのため、照明効率が悪いという問題がある。そこで、照明効率を向上させようとする提案がなされている。例えば特開平１０−１１５８５３号には、ライトガイド機能を持った光学部材を発光部の前に配置し、前記の図７の構成では集光出来なかった光線も、ライトガイドの全反射を利用して集光するようにした構成が示されている。
【特許文献１】特開平１０−１１５８５３号公報
【発明の開示】
【発明が解決しようとする課題】
【０００６】
しかしながら、特開平１０−１１５８５３号の構成では、図６に示すようにビデオカメラ６０２においてはリング状の配光６０１となってしまう問題があった。ビデオカメラの照明装置として用いる際、このような配光が生じることは、撮影画像に直接影響を与えるので好ましくない。
【０００７】
ここで、上記のようなリング状の配光ができる原因を説明する。図５に示すように、照明装置として用いる白色ＬＥＤモジュール５０１の構成は、発光部である青色ＬＥＤチップ５０２よりやや広い領域に、青色光を白色に波長変換する蛍光体材料５０３を均一な厚さでコーティングした構成になっている。これにより、光源である青色ＬＥＤチップ５０２の波長が白色に変換され白色の光源が構成される。
【０００８】
しかし、白色ＬＥＤモジュール５０１の発光領域の端部では、青色ＬＥＤチップ５０２が直上に無いため輝度が低い事が原因で白色への波長変換が出来ず、やや黄色の色味が生じてしまう。
【０００９】
そこで、白色ＬＥＤモジュール５０１の発光領域の端部から発散する光線をライトガイド機能付きの光学部材に入射させるとリング状の配光が生じる。
【００１０】
これらの問題を解決するため、光学部材の入射面全てに凹凸形状（以下、シボ部）を追加するか、または白色ＬＥＤモジュールと光学部材の間に拡散シートを追加すると、照度が低下する。そのため、被写体に対し同じ照度を得ようとすると、より高輝度の白色ＬＥＤモジュールを用いなければならないので、コストが上昇する。
【００１１】
そこで、本発明は上記の問題点に鑑み、リング状の配光がみられず且つ被写体に効率よく集光出来る照明装置を提供することを目的とする。
【課題を解決するための手段】
【００１２】
本発明にかかる照明装置は、光源と、前記光源からの光を入射する入射面と、導光部と、前記光を集光し被写体へ照射するための射出面を有する光学部材を備えた照明装置において、
前記光学部材の入射面は、前記光源中心近傍から出る光束を入射する部分を除く一部の表面領域が、凹凸形状に形成されたことを特徴とする。
【発明の効果】
【００１３】
本発明によれば、光学部材入射面のシボ部を設けない中心部分では、光源からの光線を効率よく入射し、また、光学部材入射面のシボ部を白色ＬＥＤモジュールの発光領域の端部と概略等しくすることで、白色ＬＥＤモジュールの発光領域の端部から発散する光線を拡散させ入射させ、色味を改善し、且つリング状の配光を改善する事が可能となる。
【００１４】
この発明により、照明効率をほとんど低下させることなく、好ましい光線を被写体に照射し、且つリング状の配光を生じない照明装置の提供が可能となる。
【発明を実施するための最良の形態】
【００１５】
以下、本発明の実施の形態について図面を参照して説明する。図１は、本発明の一実施形態である照明装置の外観を示している。本実施の形態は、光源として高輝度の白色ＬＥＤモジュール１０１を用い、光源の前面に底面の一部にシボ部を付けたライトガイド機能を有した光学部材１０２を可能な限り狭いクリアランスで配置したものである。
【００１６】
白色ＬＥＤモジュール１０１は、先に説明したように青色ＬＥＤチップの前面に白色に波長変換を行う蛍光体材料をコーティングした構成となっており、この蛍光体材料による膜の面積は青色ＬＥＤチップの面積より広く取られている。
【００１７】
光学部材１０２の構成は、図２に示すように、入射面から入った光源からの光束を集光し射出する面であるレンズ状の射出面２０１と、全反射面である側面２０２から成る。更に、入射面の一部２０３には、外周面にリング状にシボ部が付けられ、中心部２０４はシボ部のない透過部となっている。
【００１８】
光学部材入射面の中心部２０４は、白色ＬＥＤモジュール内部の青色ＬＥＤチップの発光領域と概略等しい領域となっている。
【００１９】
図３は、白色ＬＥＤモジュール１０１の発光部から入射した光束が、シボ部付きの光学部材入射面に入射した場合の光線経路を示す概略図である。図のように白色ＬＥＤモジュール１０１の中心付近から発散する白色の比較的射出角の小さな光線αは、光学部材の入射面から入射し、レンズ状の光学部材射出面で被写体に向けて投光される。また、白色ＬＥＤモジュール１０１の中心付近から発散する比較的射出角の大きな光線βは、光学部材の入射面から入射し、光学部材の側面で全反射し、レンズ状の光学部材射出面で被写体に向けて投光される。
【００２０】
白色ＬＥＤモジュール１０１の外側付近から発散する色味のある光線σは、図４に示すように光学部材底面のシボ部で拡散し、色味を混ぜ合わせ光学部材入射面より入射し光学部材の側面で全反射を繰り返し、レンズ状の光学部材射出面から被写体に向けて投光される。
【００２１】
また、シボ部での拡散により、光線σの入射角が広がるため、リング状の帯は広くなり、白色ＬＥＤモジュール１０１の中心付近からの光線によるスポット状の配光と連続的に繋がる。
【００２２】
これにより、白色ＬＥＤモジュール１０１の中心付近の白色の光線は照明効率を低下させることなく被写体に向けて投光され、白色ＬＥＤモジュール１０１の外側付近から出る光線の色味とリング状の配光は、シボ部での拡散により改善される。
【００２３】
本発明により、照明効率を低下させることなく白色の光線を被写体に照射し、且つリング状の配光ムラを生じない照明装置の提供が可能となる。
【図面の簡単な説明】
【００２４】
【図１】本発明の一実施形態である照明装置の斜視図である。
【図２】光学部材を後ろ側から見た斜視図である。
【図３】光学部材の光線経路α、βを示す概略図である。
【図４】光学部材の光線経路σを示す概略図である。
【図５】白色ＬＥＤモジュールの構成を示す斜視図と断面図である。
【図６】撮像装置からの配光状態を示す概略図である。
【図７】従来の照明装置の光源からの光線経路を示す模式図である。
【符号の説明】
【００２５】
１０１、５０１  白色ＬＥＤモジュール
１０２  光学部材
２０１  射出面
２０２  側面
２０３  シボ部
２０４  透過部
５０２  青色ＬＥＤチップ
５０３  蛍光体材料
【図１】
2005332757.tif 000003
【図２】
2005332757.tif 000004
【図３】
2005332757.tif 000005
【図４】
2005332757.tif 000006
【図５】
2005332757.tif 000007
【図６】
2005332757.tif 000008
【図７】
2005332757.tif 000009